(57)【要約】移動局（４００）は、セル（３１０）において基地局（３００）からブロードキャストされるPWS notificationを含むブロードキャスト情報を受信するよう構成されている。ブロードキャスト情報は、（ａ）移動局（４００）がlimited service stateである場合に移動局（４００）においてPWS notificationを破棄すべきか否かを示す第１の情報要素、及び（ｂ）移動局（４００）がHome Public Land Mobile Network（HPLMN）からPWS notificationを受信していない場合に移動局（４００）においてPWS notificationを破棄すべきか否かを示す第２の情報要素、のうち少なくとも一方を含む。これにより、例えば、PWS notificationの受信が必要でない移動局においてPWS notificationを破棄することが可能となる。
2014162673.tif 000002
【特許請求の範囲】
【請求項１】
Public Warning System（PWS）notificationのブロードキャストを要求するための要求メッセージを送信するよう構成された制御ノードと、
前記要求メッセージを前記制御ノードから受信し、前記PWS notificationを含むブロードキャスト情報をセルにおいてブロードキャストするよう構成された基地局と、
前記ブロードキャスト情報を受信するよう構成された移動局と、
を備え、
前記要求メッセージ及び前記ブロードキャスト情報の各々は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
セルラ通信システム。
【請求項２】
前記要求メッセージ及び前記ブロードキャスト情報の各々は、前記第１の情報要素を含む、請求項１に記載のセルラ通信システム。
【請求項３】
前記移動局は、前記limited service stateである間に前記PWS notificationを受信した場合に、前記PWS notificationを破棄するか否かを前記第１の情報要素に従って決定する、請求項２に記載のセルラ通信システム。
【請求項４】
前記要求メッセージ及び前記ブロードキャスト情報の各々は、前記第２の情報要素を含み、
前記移動局は、前記HPLMN とは異なる他のPublic Land Mobile Network（PLMN）から前記PWS notificationを受信した場合に、前記PWS notificationを破棄するか否かを前記第２の情報要素に従って決定する、請求項１〜３のいずれか１項に記載のセルラ通信システム。
【請求項５】
前記PWS notificationは、ETWS primary notificationとしてのWarning Typeパラメータを含み、
前記第１及び前記第２の情報要素の少なくとも一方は、前記Warning Typeパラメータ内で定義されている、
請求項１〜４のいずれか１項に記載のセルラ通信システム。
【請求項６】
前記Warning Typeパラメータは、Warning type value フィールドをさらに含み、
前記Warning type value フィールドは、前記PWS notificationが商業用途であるか否かを示す、
請求項５に記載のセルラ通信システム。
【請求項７】
前記第１及び第２の情報要素の少なくとも一方は、前記要求メッセージ及び前記ブロードキャスト情報において前記PWS notificationとは異なるパラメータとして定義されている、請求項１〜４のいずれか１項に記載のセルラ通信システム。
【請求項８】
移動局であって、
セルにおいてブロードキャストされるブロードキャスト情報を受信する無線通信手段と、
前記ブロードキャスト情報に含まれるPublic Warning System（PWS）notificationに基づいて前記移動局の動作を制御する制御手段と、
を備え、
前記ブロードキャスト情報は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含み、
前記制御手段は、前記PWS notificationを破棄するか否かを前記第１又は前記第２の情報要素に従って決定する、
移動局。
【請求項９】
前記ブロードキャスト情報は、前記第１の情報要素を含む、請求項８に記載の移動局。
【請求項１０】
前記制御手段は、前記limited service stateである間に前記PWS notificationを受信した場合に、前記PWS notificationを破棄するか否かを前記第１の情報要素に従って決定する、請求項９に記載の移動局。
【請求項１１】
前記ブロードキャスト情報は、前記第２の情報要素を含み、
前記移動局は、前記HPLMN とは異なる他のPublic Land Mobile Network（PLMN）から前記PWS notificationを受信した場合に、前記PWS notificationを破棄するか否かを前記第２の情報要素に従って決定する、請求項８〜１０のいずれか１項に記載の移動局。
【請求項１２】
前記PWS notificationは、ETWS primary notificationとしてのWarning Typeパラメータを含み、
前記第１及び前記第２の情報要素の少なくとも一方は、前記Warning Typeパラメータ内で定義されている、
請求項８〜１１のいずれか１項に記載の移動局。
【請求項１３】
前記Warning Typeパラメータは、Warning type value フィールドをさらに含み、
前記Warning type value フィールドは、前記PWS notificationが商業用途であるか否かを示す、
請求項１２に記載の移動局。
【請求項１４】
前記第１及び第２の情報要素の少なくとも一方は、前記ブロードキャスト情報において前記PWS notificationとは異なるパラメータとして定義されている、請求項８〜１１のいずれか１項に記載の移動局。
【請求項１５】
要求メッセージを基地局に送信する制御手段を備え、
前記要求メッセージは、Public Warning System（PWS）notificationを含むブロードキャスト情報を移動局にブロードキャストすることを前記基地局に引き起こし、
前記要求メッセージは、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
制御ノード。
【請求項１６】
前記要求メッセージは、前記第１の情報要素を含む、請求項１５に記載の制御ノード。
【請求項１７】
前記PWS notificationは、ETWS primary notificationとしてのWarning Typeパラメータを含み、
前記第１及び前記第２の情報要素の少なくとも一方は、前記Warning Typeパラメータ内で定義されている、
請求項１５又は１６に記載の制御ノード。
【請求項１８】
前記Warning Typeパラメータは、Warning type value フィールドをさらに含み、
前記Warning type value フィールドは、前記PWS notificationが商業用途であるか否かを示す、
請求項１７に記載の制御ノード。
【請求項１９】
前記第１及び第２の情報要素の少なくとも一方は、前記要求メッセージにおいて前記PWS notificationとは異なるパラメータとして定義されている、請求項１５又は１６に記載の制御ノード。
【請求項２０】
Public Warning System（PWS）notificationを含むブロードキャスト情報をセルにおいて移動局にブロードキャストする送信手段を備え、
前記ブロードキャスト情報は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
基地局。
【請求項２１】
前記ブロードキャスト情報は、前記第１の情報要素を含む、請求項２０に記載の基地局。
【請求項２２】
前記PWS notificationは、ETWS primary notificationとしてのWarning Typeパラメータを含み、
前記第１及び前記第２の情報要素の少なくとも一方は、前記Warning Typeパラメータ内で定義されている、
請求項２０又は２１に記載の基地局。
【請求項２３】
前記Warning Typeパラメータは、Warning type value フィールドをさらに含み、
前記Warning type value フィールドは、前記PWS notificationが商業用途であるか否かを示す、
請求項２２に記載の基地局。
【請求項２４】
前記第１及び第２の情報要素の少なくとも一方は、前記ブロードキャスト情報において前記PWS notificationとは異なるパラメータとして定義されている、請求項２０又は２１に記載の基地局。
【請求項２５】
移動局において行われる方法であって、
セルにおいてブロードキャストされるブロードキャスト情報を受信すること、及び
前記ブロードキャスト情報に含まれるPublic Warning System（PWS）notificationに基づいて前記移動局の動作を制御すること、
を備え、
前記ブロードキャスト情報は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含み、
前記制御することは、前記PWS notificationを破棄するか否かを前記第１又は前記第２の情報要素に従って決定することを含む、
方法。
【請求項２６】
制御ノードにおいて行われる方法であって、
要求メッセージを基地局に送信することを備え、
前記要求メッセージは、Public Warning System（PWS）notificationを含むブロードキャスト情報を移動局にブロードキャストすることを前記基地局に引き起こし、
前記要求メッセージは、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
方法。
【請求項２７】
基地局において行われる方法であって、
Public Warning System（PWS）notificationを含むブロードキャスト情報をセルにおいて移動局にブロードキャストすることを備え、
前記ブロードキャスト情報は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
方法。
【請求項２８】
移動局に関する制御方法をコンピュータに行わせるためのプログラムを格納した非一時的なコンピュータ可読媒体であって、
前記制御方法は、セルにおいてブロードキャストされるブロードキャスト情報に含まれるPublic Warning System（PWS）notificationに基づいて前記移動局の動作を制御することを含み、
前記ブロードキャスト情報は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含み、
前記制御することは、前記PWS notificationを破棄するか否かを前記第１又は前記第２の情報要素に従って決定することを含む、
非一時的なコンピュータ可読媒体。
【請求項２９】
制御ノードに関する制御方法をコンピュータに行わせるためのプログラムを格納した非一時的なコンピュータ可読媒体であって、
前記制御方法は、要求メッセージを基地局に送信するよう前記制御ノードを制御することを備え、
前記要求メッセージは、Public Warning System（PWS）notificationを含むブロードキャスト情報を移動局にブロードキャストすることを前記基地局に引き起こし、
前記要求メッセージは、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
非一時的なコンピュータ可読媒体。
【請求項３０】
基地局に関する制御方法をコンピュータに行わせるためのプログラムを格納した非一時的なコンピュータ可読媒体であって、
前記制御方法は、Public Warning System（PWS）notificationを含むブロードキャスト情報をセルにおいて移動局にブロードキャストするよう前記基地局を制御することを備え、
前記ブロードキャスト情報は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
非一時的なコンピュータ可読媒体。
【発明の詳細な説明】
【技術分野】
【０００１】
本発明は、セル内の複数の移動局にメッセージをブロードキャストするセルラ通信システムに関する。
【背景技術】
【０００２】
セルラ通信ネットワークの分野では、セルに在圏（camping on）している複数の移動局に対してメッセージをブロードキャストするシステムが知られている。例えば、3rd Generation Partnership Project（3GPP）は、Cell Broadcast Service（CBS）を規定している（非特許文献１を参照）。CBSの主な用途は、重要な警報メッセージ（warning message）を移動局に配信することである。3GPPは、CBSを利用して重要な警報メッセージを移動局に配信するPublic Warning System（PWS）を規定している（非特許文献２を参照）。3GPP Release 11は、PWSとして、日本で用いられるEarthquake and Tsunami Warning System（ETWS）、北米で用いられるCommercial Mobile Alert System（CMAS）、韓国で用いられるKorean Public Alert System（KPAS）、及びヨーロッパ諸国で用いられるEU-ALERTを規格化している。なお、KPAS及びEU-ALERTはCMASの軽微な変形であり、KPAS及びEU-ALERTの警報メッセージは、CMASと同じ手法で移動局に配信される。したがって、以下ではKPAS及びEU-ALERTへの明示的な言及は省略されるが、以下でのCMASに関する説明は、KPAS及びEU-ALERTにも同様に適用される。【０００３】
移動局は、normal service を受けるためにHome Public Land Mobile Network（HPLMN）に接続しているときにPWS notification（つまり、ETWS notification及びCMAS notification）を受信することができる（非特許文献１及び２を参照）。さらに、移動局は、ローミングしているとき、つまりnormal service を受けるためにVisited PLMN（VPLM）に接続しているときも、PWS notificationを受信することができる（非特許文献１及び２を参照）。【０００４】
さらにまた、ETWS又はCMASをサポートする移動局は、limited service stateにおいてもETWS notification又はCMAS notificationを受信できる（非特許文献２及び３を参照）。ここで、limited serviceは、緊急呼（emergency call）、並びにETWS及びCMASを意味する。移動局は、Universal Subscriber Identification Module（USIM）が実装されていない場合、選択されたPublic Land Mobile Network（PLMN）の適切なセルを発見できない場合、又は位置登録に失敗した場合に、PLMN identity に関わらずacceptable cellにキャンプオンし、limited service stateに遷移する。limited service stateの移動局は、緊急呼の開始、ETWS notificationの受信、及びCMASの受信を行うことができる。【０００５】
Universal Mobile Telecommunications System（UMTS）及びEvolved Packet System（EPS）における警報メッセージの配信手順は、非特許文献１に規定されている。図１６は、UMTS及びEPSにおける警報メッセージ（具体的にはCBS message）の配信ネットワークの構成を示している。図１７は、UMTSにおける警報メッセージの配信手順を示すシーケンス図である。図１８は、EPS、つまりLong Term Evolution（LTE）における警報メッセージの配信手順を示すシーケンス図である。【０００６】
図１６〜図１８に記載されたCell Broadcast Entity（CBE）は、警報メッセージの送信要求を行う装置又はシステムである。例えば、緊急地震速報を送信する気象庁のサーバがCBEに相当する。Cell Broadcast Center（CBC）は、CBEから警報メッセージの送信要求を受信し、警報メッセージの配信エリアを決定し、警報メッセージの内容を決定する。配信エリアは、CBEからの送信要求に含まれている対象地域を特定するための情報に基づいて、セクタ単位、セル単位、位置登録エリア（e.g. ルーティングエリア、トラッキングエリア）単位、又は通信事業者が定めるその他の任意のエリア単位で決定される。【０００７】
UMTSの場合、CBCは、Radio Network Controller（RNC）又はServing GPRS Support Node（SGSN）との間にインタフェースを持つ。図１６及び図１７の例では、CBCは、RNCと接続されている。CBCは、RNCにWrite-Replaceメッセージを送信する。Write-Replaceメッセージは、移動局に配信すべき警報メッセージの内容、及び配信エリアの指定を含む。RNCは、Write-Replaceメッセージに基づいて、警報メッセージの配信を行うべき基地局（つまり、NodeB）を決定し、警報メッセージのブロードキャストを対象の基地局（NodeB）に要求する。そして、基地局（NodeB）は、自身のセル内に位置する複数の移動局によって受信されるダウンリンクチャネルを用いて、警報メッセージを含むブロードキャスト情報を送信する。【０００８】
UMTSの場合、警報メッセージは、ダウンリンク論理チャネルであるCommon Traffic Channel（CTTH）を用いてブロードキャストされる。CTTHは、トランスポートチャネルであるForward Access Channel（FACH）にマッピングされ、物理チャネルであるSecondary Common Control Physical Channel（S-CCPCH）において送信される。また、基地局（NodeB）は、CTTHの送信を示すCTTH Indicator を報知情報として送信する。具体的には、CTTH Indicatorは、Primary Common Control Physical Channel（P-CCPCH）及びBroadcast Control Channel（BCCH）においてシステム情報の１つ（つまり、System Information Block Type 5（SIB5））として送信される。さらに、基地局（NodeB）は、システム情報（BCCH）に変更があることを示すページングメッセージをS-CCPCHにおいて送信することで、待ち受け状態の移動局にシステム情報の受信を促す。【０００９】
上述したUMTSにおけるCTTHを用いた送信は、ETWS Secondary Notification、及びCMAS notificationの送信に利用される。一方、ETWS Primary Notificationは、システム情報に変更があることを示すページングメッセージを用いて送信される。【００１０】
UMTSの移動局は、待ち受け状態（CELL_PCH状態、URA_PCH状態）であるときに、ETWS Primary Notification、ETWS Secondary Notification、及びCMAS notificationを受信できる。また、UMTSの移動局は、通信状態（CELL_DCH状態）であるときに、ETWS Primary Notificationを受信することができる。さらに、UMTSの移動局は、limited Service Stateであるときも、システム情報を受信することで、ETWS Secondary Notification及びCMAS notificationを受信することができる。【００１１】
図１８に示されているEPSにおける警報メッセージの配信も、上述したUMTSとほぼ同様のアーキテクチャで行われる。ただし、EPSでは、CBCはMobility Management Entity（MME）に接続されており、警報メッセージはMMEを介して基地局（eNodeB）に供給される。基地局（eNodeB）は、警報メッセージが配信されることを示すETWS Indicationビットを、ページングメッセージを用いて送信する。ページングメッセージは、Paging Channel（PCH）にマッピングされ、Physical Downlink Shared Channel（PDSCH）において送信される。そして、基地局（eNodeB）は、警報メッセージを含むシステム情報（System Information Block（SIB））を送信する。ETWS Primary NotificationはSIB Type 10（SIB10）において送信され、ETWS Secondary NotificationはSIB Type 11（SIB11）において送信される。また、CMAS Notificationは、SIB Type 12（SIB12）において送信される。基地局（eNodeB）は、警報メッセージ含むシステム情報をBroadcast Control Channel（BCCH）／Downlink Shared Channel（DL-SCH）／Physical Downlink Shared Channel（PDSCH）を用いてセル内にブロードキャストする。【００１２】
EPSの移動局は、待ち受け状態（RRC_IDLE状態）及び通信状態（RRC_CONNECTED状態）のいずれであっても、少なくともDefault Paging Cycleに１度はページングメッセージの受信を試みる。そして、移動局は、ETWS Indicationビットがセットされたページングメッセージを受信したことに応じて、警報メッセージを含むシステム情報（SIB）の受信を開始する。したがって、EPSの移動局は、待ち受け状態（RRC_IDLE状態）及び通信状態（RRC_CONNECTED状態）のいずれであっても、ETWS Primary Notification、ETWS Secondary Notification、及びCMAS notificationをできる。さらに、EPSの移動局は、limited Service Stateであるときも、システム情報を受信することで、ETWS Primary Notification、ETWS Secondary Notification、及びCMAS notificationを受信することができる。
【先行技術文献】
【非特許文献】
【００１３】
【非特許文献１】3GPP TS 23.041 V11.5.0 (2012-12) “3rd Generation Partnership Project; Technical Specification Group Core Network and Terminals; Technical realization of Cell Broadcast Service (CBS) (Release 11)”, 2012年12月
【非特許文献２】3GPP TS 22.268 V11.5.0 (2012-12) “3rd Generation Partnership Project; Technical Specification Group Services and System Aspects; Public Warning System (PWS) requirements (Release 11)”, 2012年12月
【非特許文献３】3GPP TS 36.304 V11.2.0 (2012-12) “3rd Generation Partnership Project; Technical Specification Group Radio Access Network; Evolved Universal Terrestrial Radio Access (E-UTRA); User Equipment (UE) procedures in idle mode (Release 11)”, 2012年12月
【発明の概要】
【発明が解決しようとする課題】
【００１４】
上述したことから理解されるように、ETWS又はCMASをサポートする移動局は、normal service を受けるためにHPLMN (又はEquivalent HPLMN（EHPLMN）)に接続しているとき、normal service を受けるためにVisitor PLMN（VPLMN）に接続しているとき（ローミングしているとき）、及びlimited service stateにおいて任意のacceptable cell に接続しているときのいずれであっても、PWS notification（つまり、ETWS notification及びCMAS notification）を受信することができる。このことは、現状のPWSが非常に重要性の高い情報（例えば、津波及び地震の情報）の配信を意図したものあるため、対象のエリア内に位置しているなるべく多くの移動局がPWS notificationを受信すべきであるとの思想に基づくものである。【００１５】
本件の発明者等は、PWS notificationの用途の拡大について検討した。これにより、本件の発明者等は、PWS notificationの用途が拡大される場合に、PWS notificationの受信が必要でない移動局においてPWS notificationをユーザーに通知することなく破棄することが好ましいケースがあることを見出した。このようなケースの一例は、地震及び津波情報に比べて相対的に重要性の低いメッセージがPWS notification としてブロードキャストされる場合である。【００１６】
なお、非特許文献１は、CBSアーキテクチャにおいてブロードキャストされる警報メッセージ（CBS message）がMessage Identifierによって識別されることを記載している。さらに非特許文献１は、移動局が、HPLMN (又はEquivalent HPLMN)から受信したものでない限り、PLMN operator specific range (つまり、A000 hex〜AFFF hex)内のMessage Identifierが付与されているCBS messageを破棄すべきであることを規定している。しかしながら、非特許文献１は、PWSを示すMessage Identifierが付与されたCBS message（つまり、PWS notification含むCBS message）を移動局において破棄するか否かを移動局の状態（例えば、移動局がlimited service stateであるか否か、又は移動局がPWS notificationをHPLMNから受信しているか否か）に基づいて異ならせることについて記載していない。【００１７】
したがって、本件発明の目的の１つは、PWS notificationの受信が必要でない移動局においてPWS notificationを破棄することを可能とするためのセルラ通信システム、移動局、制御ノード、及び基地局、並びにこれらに関する方法及びプログラムを提供することである。
【課題を解決するための手段】
【００１８】
第１の態様では、セルラ通信システムは、制御ノード、基地局、及び移動局を有する。前記制御ノードは、Public Warning System（PWS）notificationのブロードキャストを要求するための要求メッセージを送信するよう構成されている。前記基地局は、前記要求メッセージを前記制御ノードから受信し、前記PWS notificationを含むブロードキャスト情報をセルにおいてブロードキャストするよう構成されている。前記移動局は、前記ブロードキャスト情報を受信するよう構成されている。ここで、前記要求メッセージ及び前記ブロードキャスト情報の各々は、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。【００１９】
第２の態様では、移動局は、無線通信部および制御部を有する。前記無線通信部は、セルにおいてブロードキャストされるブロードキャスト情報を受信するよう構成されている。前記制御部は、前記ブロードキャスト情報に含まれるPublic Warning System（PWS）notificationに基づいて前記移動局の動作を制御するよう構成されている。ここで、前記ブロードキャスト情報は、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。そして、前記制御部は、前記PWS notificationを破棄するか否かを前記第１又は前記第２の情報要素に従って決定する。【００２０】
第３の態様では、制御ノードは、要求メッセージを基地局に送信するよう構成された制御部を有する。前記要求メッセージは、Public Warning System（PWS）notificationを含むブロードキャスト情報を移動局にブロードキャストすることを前記基地局に引き起こす。さらに、前記要求メッセージは、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。【００２１】
第４の態様では、基地局は、Public Warning System（PWS）notificationを含むブロードキャスト情報をセルにおいて移動局にブロードキャストするよう構成された送信部を有する。ここで、前記ブロードキャスト情報は、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。【００２２】
第５の態様では、移動局において行われる方法は、セルにおいてブロードキャストされるブロードキャスト情報を受信すること、及び前記ブロードキャスト情報に含まれるPublic Warning System（PWS）notificationに基づいて前記移動局の動作を制御すること、を含む。ここで、前記ブロードキャスト情報は、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。そして、前記制御することは、前記PWS notificationを破棄するか否かを前記第１又は前記第２の情報要素に従って決定することを含む。【００２３】
第６の態様では、制御ノードにおいて行われる方法は、要求メッセージを基地局に送信することを含む。前記要求メッセージは、Public Warning System（PWS）notificationを含むブロードキャスト情報を移動局にブロードキャストすることを前記基地局に引き起こす。さらに、前記要求メッセージは、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。【００２４】
第７の態様では、基地局において行われる方法は、Public Warning System（PWS）notificationを含むブロードキャスト情報をセルにおいて移動局にブロードキャストすることを含む。ここで、前記ブロードキャスト情報は、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。【００２５】
第８の態様では、プログラムは、移動局に関する制御方法をコンピュータに行わせるための命令群を含む。前記制御方法は、セルにおいてブロードキャストされるブロードキャスト情報に含まれるPublic Warning System（PWS）notificationに基づいて前記移動局の動作を制御することを含む。ここで、前記ブロードキャスト情報は、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。そして、前記制御することは、前記PWS notificationを破棄するか否かを前記第１又は前記第２の情報要素に従って決定することを含む。【００２６】
第９の態様では、プログラムは、制御ノードに関する制御方法をコンピュータに行わせるための命令群を含む。前記制御方法は、要求メッセージを基地局に送信するよう前記制御ノードを制御することを含む。前記要求メッセージは、Public Warning System（PWS）notificationを含むブロードキャスト情報を移動局にブロードキャストすることを前記基地局に引き起こす。さらに、前記要求メッセージは、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。【００２７】
第１０の態様では、プログラムは、基地局に関する制御方法をコンピュータに行わせるための命令群を含む。前記制御方法は、Public Warning System（PWS）notificationを含むブロードキャスト情報をセルにおいて移動局にブロードキャストするよう前記基地局を制御することを含む。ここで、前記ブロードキャスト情報は、（ａ）前記移動局がlimited service stateである場合に前記移動局において前記PWS notificationを破棄すべきか否かを示す第１の情報要素、及び（ｂ）前記移動局がHome Public Land Mobile Network（HPLMN）から前記PWS notificationを受信していない場合に前記移動局において前記PWS notificationを破棄すべきか否かを示す第２の情報要素、のうち少なくとも一方を含む。
【発明の効果】
【００２８】
上述の態様によれば、PWS notificationの受信が必要でない移動局においてPWS notificationを破棄することを可能とするためのセルラ通信システム、移動局、制御ノード、及び基地局、並びにこれらに関する方法及びプログラムを提供できる。
【図面の簡単な説明】
【００２９】
【図１】第１の実施形態に係るセルラ通信システムの構成例を示すブロック図である。
【図２】第１の実施形態に係るブロードキャストノードから制御ノードへの警報メッセージの送信要求手順を示すシーケンス図である。
【図３】第１の実施形態に係る制御ノードから基地局への警報メッセージの送信要求手順を示すシーケンス図である。
【図４】第１の実施形態に係る基地局から移動局への警報メッセージの送信手順を示すシーケンス図である。
【図５】第１の実施形態に係る制御ノードの構成例を示すブロック図である（EPSの場合）。
【図６】第１の実施形態に係る制御ノードの構成例を示すブロック図である（UMTSの場合）。
【図７】第１の実施形態に係る基地局の構成例を示すブロック図である（EPSの場合）。
【図８】第１の実施形態に係る移動局の構成例を示すブロック図である。
【図９】第１の実施形態に係るUE Behavior indicationを含むメッセージ構造の第１の例を示す図である。
【図１０】第１の実施形態に係るUE Behavior indicationを含むメッセージ構造の第２の例を示す図である。
【図１１】第１の実施形態に係るUE Behavior indicationを含むメッセージ構造の第３の例を示す図である。
【図１２】第１の実施形態に係るUE Behavior indicationの第１の例を示す図である。
【図１３】第１の実施形態に係るUE Behavior indicationの第２の例を示す図である。
【図１４】第２の実施形態に係るWarning Type Valueの具体例を示す図である。
【図１５】その他の実施形態に係るUE Behavior indicationの具体例を示す図である。
【図１６】背景技術に係るUMTS及びEPSにおける警報メッセージの配信ネットワークの構成を示す図である。
【図１７】背景技術に係る警報メッセージの配信手順を示すシーケンス図である（UMTSの場合）。
【図１８】背景技術に係る警報メッセージの配信手順を示すシーケンス図である（EPSの場合）。
【発明を実施するための形態】
【００３０】
以下では、具体的な実施形態について、図面を参照しながら詳細に説明する。各図面において、同一又は対応する要素には同一の符号が付されており、説明の明確化のため、必要に応じて重複説明は省略される。
【００３１】
＜第１の実施形態＞
図１は、本実施形態に係るセルラ通信システム１の構成例を示すブロック図である。なお、本実施形態及び後述する他の実施形態では、セルラ通信システム１が3GPPのUMTS又はEPSである場合について説明を行う。
【００３２】
セルラ通信システム１は、複数の移動局（User Equipment（UE））４００と、警報メッセージとしてのPWS notification（つまり、ETWS notification及びCMAS notification）をブロードキャストできるよう構成されたセルラ通信ネットワーク１０を含む。セルラ通信ネットワーク１０は、PWS notificationのブロードキャストに関するノードとして、ブロードキャストノード１００、制御ノード２００、及び基地局３００を含む。セルラ通信ネットワーク１０によるPWS notificationのブロードキャストは、背景技術で述べたCBSアーキテクチャを用いたブロードキャストと同様に行えばよい。以下では、本実施形態に係るセルラ通信システム１おけるPWS notificationのブロードキャストに関して説明する。
【００３３】
ブロードキャストノード１００は、Cell Broadcast Center（CBC）に相当し、警報メッセージ（つまり、PWS notification）の配信エリアを決定し、PWS notificationの内容を決定する。制御ノード２００は、ブロードキャストノード１００とのインタフェースを有するノードである。EPSであればMobility Management Entity（MME）が制御ノード２００に相当し、UMTSであればRadio Network Controller（RNC）が制御ノード２００に相当する。制御ノード２００は、ブロードキャストノード１００からPWS notificationの配信要求（つまり、 UMTSのWrite-Replaceメッセージ、又はEPSのWrite-Replace-Warning-Requestメッセージ）を受信する。この配信要求は、ブロードキャストされるべきPWS notificationの内容、及び配信エリアの指定を含む。制御ノード２００は、PWS notificationの配信を行うべき基地局３００を決定し、PWS notificationのブロードキャストを対象の基地局３００に要求する。
【００３４】
基地局３００は、セル３１０を管理し、移動局４００との間でアップリンクチャネル及びダウンリンクチャネルを用いた双方向の無線通信を行うことができる。EPSであればeNodeBが基地局３００に相当し、UMTSであればNodeBが基地局３００に相当する。基地局３００は、制御ノード２００からのPWS notificationの配信要求（つまり、 UMTSのBroadcast Requestメッセージ、又はEPSのWrite-Replace-Warning-Requestメッセージ）を受信する。そして、基地局３００は、PWS notificationの配信要求の受信に応じて、PWS notificationを含むブロードキャスト情報を複数の移動局４００が受信できるようにセル３１０においてブロードキャストする。既に述べたように、UMTSの場合には、PWS notification は、例えば、CTTH（又はCTTH及びページング信号）を用いて送信される。また、EPSの場合、PWS notification は、例えば、システム情報に含めて送信される。
【００３５】
移動局（UE）４００は、PWS notificationを含むブロードキャスト情報をセル３１０において受信する。移動局４００は、警報メッセージの受信に応じて、ユーザーへの警告動作、例えば警報音の出力若しくはポップアップ表示、又はこれら両方を実行してもよい。
【００３６】
さらに、本実施形態においては、ブロードキャストノード１００から制御ノード２００に送られるPWS notificationの配信要求、制御ノード２００から基地局３００に送られるPWS notificationの配信要求、及び基地局３００から送信されるブロードキャスト情報の各々は、UE Behavior Indicationを含む。UE Behavior Indicationは、以下に示す第１及び第２の情報要素のうち少なくとも一方を含む；
（ａ）移動局４００がlimited service stateである場合に移動局４００においてPWS notificationを破棄すべきか否かを示す第１の情報要素；
（ｂ）移動局４００がHPLMN（又はEHPLMN）からPWS notificationを受信していない場合に移動局４００においてPWS notificationを破棄すべきか否かを示す第２の情報要素。
【００３７】
なお、limited service stateは、既に述べたように、移動局４００がlimited service（つまり、緊急呼（emergency call）、並びにETWS及びCMAS）を受けるために、acceptable cellにキャンプオンしている状態である。つまり、limited service state である場合、移動局４００は、HPLMN、EHPLMN、又はVPLMNに接続してない。移動局４００は、HPLMN、EHPLMN、又はVPLMNの適切なセルを発見できない場合、USIMが実装されていない場合、又は位置登録に失敗した場合に、PLMN identity に関わらずacceptable cellにキャンプオンし、Limited service stateに遷移する。
【００３８】
移動局４００は、limited service stateである間にPWS notificationを受信した場合に、PWS notificationを破棄するか否かをUE Behavior Indication（つまり、第１の情報要素）に従って決定すればよい。また、移動局４００は、HPLMN（又はEHPLMN） とは異なる他のPLMNからPWS notificationを受信した場合に、PWS notificationを破棄するか否かをUE Behavior Indication（つまり、第２の情報要素）に従って決定すればよい。つまり、本実施形態によれば、PWS notificationが移動局４００において破棄されるか否かをセルラ通信ネットワーク１０側から制御することができる。
【００３９】
上述した第１又は第２の情報要素に従ってPWS notificationを破棄することは、移動局４００がPWS notificationをユーザーに提示しないことを意味する。したがって、例えば、PWS notificationが第１の情報要素と共にセル３１０においてブロードキャストされる場合、セルラ通信ネットワーク１０は、limited service stateの移動局４００においてPWS notificationをユーザーに提示するか否かを直接的に制御することができる。すなわち、セルラ通信ネットワーク１０は、必要に応じて、limited service stateの移動局４００においてPWS notificationがユーザーに提示されないようにすることができる。言い換えると、セルラ通信ネットワーク１０は、必要に応じて、HPLMN、EHPLMN、又はVPLMNに適切に接続している移動局４００（つまり、normal service stateの移動局４００）のみにおいてPWS notificationがユーザーに提示されるようにすることができる。
【００４０】
また、PWS notificationが第２の情報要素と共にセル３１０においてブロードキャストされる場合、セルラ通信ネットワーク１０は、HPLMN（又はこれと同様のEHPLMN）に接続していない移動局４００においてPWS notificationをユーザーに提示するか否かを直接的に制御することができる。すなわち、セルラ通信ネットワーク１０は、必要に応じて、HPLMN（又はEHPLMN）に接続していない移動局４００においてPWS notificationがユーザーに提示されないようにすることができる。言い換えると、セルラ通信ネットワーク１０は、必要に応じて、HPLMN（又はEHPLMN）に適切に接続している移動局４００のみにおいてPWS notificationがユーザーに提示されるようにすることができる。
【００４１】
続いて以下では、ブロードキャストノード１００、制御ノード２００、基地局３００、及び移動局４００の構成及び動作について詳細に説明する。図２は、ブロードキャストノード（CBC）１００から制御ノード（MME）２００へのPWS notificationの送信要求手順を示すシーケンス図である。図３は、制御ノード（MME）２００から基地局（eNB）３００へのPWS notificationの送信要求手順を示すシーケンス図である。図４は、基地局（eNB）３００から移動局（UE）４００へのPWS notificationの送信手順を示すシーケンス図である。なお、図２〜４は、セルラ通信システム１がEPSである場合について示している。
【００４２】
図２の例において、ブロードキャストノード１００は、Write-Replace Warning Requestメッセージを制御ノード２００に送信する（ステップＳ１１）。ここで、Write-Replace Warning Requestメッセージは、PWS notification及びUE Behavior Indicationパラメータを含む。PWS notification パラメータは、PWS notificationの内容を示す。UE Behavior Indicationパラメータは、上述した第１の情報要素若しくは第２の情報要素又はこれら両方を含み、UE Behavior Indicationの内容を示す。
【００４３】
図３の例において、制御ノード２００は、Write-Replace Warning Requestメッセージを基地局３００に転送する（ステップＳ２１）。Write-Replace Warning Requestメッセージは、PWS notification パラメータ及びUE Behavior Indicationパラメータを含む。
【００４４】
図４の例において、基地局３００はブロードキャスト情報をセル３１０においてブロードキャストし、移動局４００はブロードキャスト情報を受信する（ステップＳ３１）。ブロードキャスト情報は、PWS notification パラメータ及びUE Behavior Indicationパラメータを含む。移動局４００は、UE Behavior Indicationに従って、PWS notificationを破棄するか否かを決定する（ステップＳ３２）。
【００４５】
続いて、制御ノード２００、基地局３００及び、移動局４００の構成例について図５〜８を参照して説明する。なお、図５〜８は、PWS notificationの送信の説明に関係する主要な構成要素についてのみ示している。
【００４６】
図５は、制御ノード２００がMMEである場合の構成例を示すブロック図である。PWS要求部２０１は、ブロードキャストノード（CBC）１００からPWS notificationの配信要求（つまり、 Write-Replace Warning Requestメッセージ）を受信し、PWS notificationをブロードキャストするべき基地局（eNodeB）３００を決定し、対象の基地局（eNodeB）３００にWrite-Replace Warning Requestメッセージを送信する。本実施形態において、Write-Replace Warning Requestメッセージは、PWS notification及びUE Behavior Indicationを含む。
【００４７】
図６は、制御ノード２００がRNCである場合の構成例を示すブロック図である。PWS要求部２１１は、ブロードキャストノード（CBC）１００からPWS notificationの配信要求（つまり、 Write-Replaceメッセージ）を受信し、PWS notificationをブロードキャストするべき基地局（NodeB）３００を決定し、対象の基地局（NodeB）３００にBroadcast Requestメッセージを送信する。本実施形態において、Broadcast Requestメッセージは、PWS notification及びUE Behavior Indicationを含む。
【００４８】
図７は、基地局３００の構成例を示すブロック図である。なお、図７は、基地局３００がeNodeBである場合について示している。無線通信部３０１は、複数のダウンリンクチャネルを含むダウンリンク信号を無線送信し、移動局４００から複数のアップリンクチャネルを含むアップリンク信号を受信する。複数のダウンリンクチャネルは、PWS notification及びUE Behavior Indicationを含むブロードキャスト情報の送信に利用されるブロードキャストチャネル（例えば、CTTH又はBCCH）、及びページングチャネル（例えば、Paging Control Channel（PCCH））等を含む。PWS送信部３０２は、制御ノード２００からPWS notificationの配信要求（つまり、Write-Replace Warning Requestメッセージ）を受信し、PWS notificationを含むブロードキャスト情報を送信するよう無線通信部３０１を制御する。
【００４９】
図８は、移動局４００の構成例を示すブロック図である。無線通信部４０１は、複数のダウンリンクチャネルを含むダウンリンク信号を基地局３００から受信することができる。また、無線通信部４０１は、複数のアップリンクチャネルを含むアップリンク信号を基地局３００に送信することができる。無線通信部４０１は、基地局３００からセル３１０においてブロードキャストされるブロードキャスト情報を受信し、これをPWS制御部４０２に供給する。
【００５０】
PWS制御部４０２は、PWS notification及びUE Behavior Indicationを含むブロードキャスト情報を受信し、PWS notification及びUE Behavior Indicationに従って、移動局４００の動作を制御する。具体的には、PWS制御部４０２は、PWS notificationを破棄するか否かをUE Behavior Indicationに含まれている上述した第１又は第２の情報要素に従って決定する。PWS notificationを破棄しない場合、PWS制御部４０２は、例えば、PWS notificationに従って警告音の出力、又はポップアップ表示の出力を行ってもよい。
【００５１】
続いて以下では、UE Behavior indicationを含むメッセージ構造のいくつかの具体例について説明する。図９の第１の例は、UE Behavior indicationパラメータが、EPSのためのWrite-Replace Warning Requestメッセージ内においてPWS notificationとは異なるパラメータとして定義されたメッセージ構造を示している。図９の、Write-Replace Warning Requestメッセージ６０は、UE Behavior indicationパラメータ６１、Warning-Typeパラメータ６２、及びWarning Message Content E-UTRAN ６３を含む。UE Behavior indicationパラメータ６１は、上述した第１及び第２の情報要素の少なくとも一方を含む。Warning-Typeパラメータ６２、及びWarning Message Content E-UTRAN ６３は、PWS notificationに相当する。具体的には、Warning-Typeパラメータ６２は、ETWS Primary Notificationとしてシステム情報（SIB10）においてブロードキャストされる。Warning Message Content E-UTRAN ６３は、ETWS Secondary notificationとしてシステム情報（SIB11）においてブロードキャストされる。
【００５２】
図１０の第２の例は、UE Behavior indicationパラメータが、UMTSのためのWrite-Replaceメッセージ内においてPWS notificationとは異なるパラメータとして定義されたメッセージ構造を示している。図１０の、Write-Replaceメッセージ７０は、UE Behavior indicationパラメータ７１、Warning-Typeパラメータ７２、及びCBS-Message-Information-Page 1 ７３を含む。UE Behavior indicationパラメータ７１は、上述した第１及び第２の情報要素の少なくとも一方を含む。Warning-Typeパラメータ７２、及びCBS-Message-Information-Page 1 ７３は、PWS notificationに相当する。具体的には、Warning-Typeパラメータ７２は、ETWS Primary Notificationとしてページングチャネルにおいて送信される。CBS-Message-Information-Page 1 ７３は、ETWS Secondary notificationとしてCTTHにおいてブロードキャストされる。
【００５３】
図１１の第３の例は、UE Behavior indicationパラメータが、ETWS primary notificationとしてのWarning Typeパラメータ内で定義されたメッセージ構造を示している。図１１の例では、Warning Typeパラメータ８０は、Warning Type Valueフィールド８１及びUE Behavior indicationフィールド８２を含む。Warning Type Valueフィールド８１は、ETWS notificationに関するWarning Type（地震、津波、又は地震及び津波など）を示す。UE Behavior indicationフィールド８２は、上述した第１及び第２の情報要素の少なくとも一方を含む。図１１の例では、UE Behavior indicationフィールド８２は、Warning Typeパラメータ８０の第２オクテット（OCTET 2）のBIT 6に配置された１ビット情報であり、上述した第１及び第２の情報要素のいずれかを示す。
【００５４】
図１２及び図１３は、１ビット情報として定義されたUE Behavior indicationの具体例を示している。図１２の１ビット情報は、上述した第１の情報要素に対応する。すなわち、図１２の１ビット情報は、limited service stateであるときにPWS notificationを破棄するよう移動局４００に司令するために用いられる。図１３の１ビット情報は、上述した第２の情報要素に対応する。すなわち、図１３の１ビット情報は、HPLM（又はEHPLMN）とは異なる他のHPLMNからPWS notification が受信されているときにPWS notificationを破棄するよう移動局４００に司令するために用いられる。
【００５５】
＜第２の実施形態＞
本実施形態では、上述した第１の実施形態の変形例について説明する。第１の実施形態では、PWS notificationのタイプがいずれであるかに関わらず、移動局４００がUE Behavior indicationに従ってPWS notificationの破棄を決定する例を示した。しかしながら、移動局４００は、特定のPWS notificationタイプであるときに限り、UE Behavior indicationを参照し、UE Behavior indicationに従ってPWS notificationを破棄するか否かを決定してもよい。具体的には、移動局４００は、重要性及び緊急性の高いPWS notificationタイプには、UE Behavior indicationに基づく破棄判定を行うことなく、PWS notificationのユーザーへの提示を行うよう構成されてもよい。これにより、移動局４００は、UE Behavior indicationに基づく判定に要する処理時間を削減することができ、重要性及び緊急性の高いPWS notificationをユーザーに速やかに提示することができる。
【００５６】
以下では、PWS notificationがETWS notificationである場合を例にとって説明する。図１４は、ETWS のWarning Typeパラメータに含まれているWarning Type Valueの具体例を示す図である。図１４の例では、商業用途（commercial use）を表わす新たな値９１が定義されている。例えば、移動局４００は、Warning Type Valueが商業用途を示す場合に限って、UE Behavior indicationに基づく破棄判定を行なってもよい。一方、移動局４００は、Warning Type Valueが商業用途とは異なる他の既存の値を示す場合に、UE Behavior indicationに基づく破棄判定を行うことなく、emergency user alert indication及びpopup indicationに従って、警報音の出力若しくはポップアップ表示の出力又はこれら両方を行なってもよい。これにより、移動局４００は、重要性及び緊急性の高い地震情報及び津波情報の警告をユーザーに速やかに提示することができる。
【００５７】
＜その他の実施形態１＞
第１の実施形態は、PWS notificationとは異なる他のタイプのブロードキャストメッセージ（CBS message）を移動局４００において破棄するか否かを決定するために用いられてもよい。3GPPでは、Message Identifierが4542〜6399（1100 hex 〜 18FF hex）の範囲内をPublic Warning System（PWS）のために定義している。第１の実施形態は、Message Identifierが4542〜6399（1100 hex 〜 18FF hex）の範囲外のCBS messageをブロードキャストする際に使用されてもよい。これにより、セルラ通信ネットワーク１０は、PWS notificationに限らない様々なCBS messageに関して、limited service stateの移動局４００においてCBS messageが破棄されるか否かをセルラ通信ネットワーク１０側から直接的に制御することができる。また、セルラ通信ネットワーク１０は、PWS notificationに限らない様々なCBS messageに関して、HPLMN（又はこれと同様のEHPLMN）に接続していない移動局４００においてCBS messageを破棄されるか否かをセルラ通信ネットワーク１０側において直接的に制御することができる。
【００５８】
＜その他の実施形態２＞
第１の実施形態は、PWS notificationとは異なる他のタイプのブロードキャストメッセージ（CBS message）を移動局４００において破棄するか否かを決定するために用いられてもよい。3GPPでは、Message Identifierが4542〜6399（1100 hex 〜 18FF hex）の範囲内をPublic Warning System（PWS）のために定義している。更に、Message Identifierが4352〜4359（1100 hex 〜 1107 hex）をETWS専用に、Message Identifierが4370〜4399（1108 hex 〜 112F hex）をCMAS、EU-Alert、及びKPAS専用に定義している。第１の実施形態にて移動局４００がlimited service stateである場合に移動局４００においてブロードキャストメッセージを破棄すべきか否かを示す方法としてMessage Identifierと関連付けを行い制御する事が考えられる。一例としては、図１５に示すように、“ETWS CBS Message Identifier for future extension”として定義されているMessage Identifier 4357（1105 hex）を“ETWS CBS Message Identifier for commercial services”と再定義してもよい。そして、移動局４００がlimited service stateである場合にMessage Identifier 4357（1105 hex）を持つブロードキャストメッセージを受信した場合、このブロードキャストメッセージを一律破棄すると定義してもよい。
【００５９】
また、第１及び第２の実施形態では、セルラ通信システム１がUMTS又はEPSである具体例を示した。しかしながら、第１及び第２の実施形態の適用先は、UMTS及びEPSのセルラ通信システムに限定されない。つまり、第１及び第２の実施形態は、複数の移動局に対するセルブロードキャストによって警報メッセージを配信するセルラ通信システムに対して広く適用可能である。
【００６０】
また、第１及び第２の実施形態で説明したブロードキャストノード１００、制御ノード２００、基地局３００、及び移動局４００の処理は、少なくとも１つのプロセッサ（e.g. マイクロプロセッサ、ＭＰＵ（Micro Processing Unit）、ＤＳＰ（Digital Signal Processor））を含むコンピュータシステムにプログラムを実行させることによって実現されてもよい。具体的には、フローチャート及びシーケンス図等を用いて説明されたアルゴリズムをコンピュータシステムに行わせるための命令群を含む１又は複数のプログラムを作成し、当該プログラムをコンピュータに供給すればよい。
【００６１】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６２】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００６３】
上述した実施形態に記載された技術思想は、例えば、以下の付記のように記載することもできるが、これらには限られない。
【００６４】
（付記１）
ブロードキャストメッセージを含むブロードキャスト要求を送信するよう構成された制御ノードと、
前記ブロードキャスト要求を前記制御ノードから受信し、前記ブロードキャストメッセージを含むブロードキャスト情報をセルにおいてブロードキャストするよう構成された基地局と、
前記ブロードキャスト情報を受信するよう構成された移動局と、
を備え、
前記ブロードキャスト情報は、前記移動局がlimited service stateである場合に前記移動局において前記ブロードキャストメッセージを破棄すべきか否かを示す情報要素を含む、
セルラ通信システム。
（付記２）
前記移動局は、前記limited service stateである間に前記ブロードキャスト情報を受信した場合に、前記ブロードキャストメッセージを破棄するか否かを前記情報要素に従って決定する、付記１に記載のセルラ通信システム。
（付記３）
前記ブロードキャスト情報は、3GPPのCell Broadcast service（CBS） messageを含み、
前記CBS messageは、前記ブロードキャストメッセージに相当するブロードキャストデータと、前記情報要素とを含み、
前記情報要素は、前記CBS messageに含まれるMessage Identifierの特定の値である、
付記１又は２に記載のセルラ通信システム。
（付記４）
前記特定の値は、前記ブロードキャストメッセージが商業用途であることを示す、付記３に記載のセルラ通信システム。
（付記５）
移動局であって、
セルにおいてブロードキャストされるブロードキャスト情報を受信する無線通信部と、
前記ブロードキャスト情報に含まれるブロードキャストメッセージに基づいて前記移動局の動作を制御する制御部と、
を備え、
前記ブロードキャスト情報は、前記移動局がlimited service stateである場合に前記移動局において前記ブロードキャストメッセージを破棄すべきか否かを示す情報要素を含む、
移動局。
（付記６）
前記制御部は、前記limited service stateである間に前記ブロードキャスト情報を受信した場合に、前記ブロードキャストメッセージを破棄するか否かを前記情報要素に従って決定する、付記５に記載の移動局。
（付記７）
前記ブロードキャスト情報は、3GPPのCell Broadcast service（CBS） messageを含み、
前記CBS messageは、前記ブロードキャストメッセージに相当するブロードキャストデータと、前記情報要素とを含み、
前記情報要素は、前記CBS messageに含まれるMessage Identifierの特定の値である、
付記５又は６に記載の移動局。
（付記８）
前記特定の値は、前記ブロードキャストメッセージが商業用途であることを示す、付記７に記載の移動局。
（付記９）
ブロードキャストメッセージを含むブロードキャスト情報をセルにおいて複数の移動局が受信できるようにブロードキャストする送信部を備え、
前記ブロードキャスト情報は、移動局がlimited service stateである場合に前記移動局において前記ブロードキャストメッセージを破棄すべきか否かを示す情報要素を含む、
基地局。
（付記１０）
移動局において行われる制御方法であって、
セルにおいてブロードキャストされるブロードキャスト情報を受信すること、及び
前記ブロードキャスト情報に含まれるブロードキャストメッセージに基づいて前記移動局の動作を制御すること、
を備え、
前記ブロードキャスト情報は、前記移動局がlimited service stateである場合に前記移動局において前記ブロードキャストメッセージを破棄すべきか否かを示す情報要素を含む、
方法。
（付記１１）
基地局において行われる方法であって、
ブロードキャストメッセージを含むブロードキャスト情報をセルにおいて複数の移動局が受信できるようにブロードキャストすることを備え、
前記ブロードキャスト情報は、移動局がlimited service stateである場合に前記移動局において前記ブロードキャストメッセージを破棄すべきか否かを示す情報要素を含む、
方法。
（付記１２）
移動局に関する制御方法をコンピュータに行わせるためのプログラムを格納した非一時的なコンピュータ可読媒体であって、
前記制御方法は、セルにおいてブロードキャストされるブロードキャスト情報に含まれるブロードキャストメッセージに基づいて前記移動局の動作を制御することを含み、
前記ブロードキャスト情報は、前記移動局がlimited service stateである場合に前記移動局において前記ブロードキャストメッセージを破棄すべきか否かを示す情報要素を含む、
非一時的なコンピュータ可読媒体。
（付記１３）
基地局に関する制御方法をコンピュータに行わせるためのプログラムを格納した非一時的なコンピュータ可読媒体であって、
前記制御方法は、ブロードキャストメッセージを含むブロードキャスト情報をセルにおいて複数の移動局が受信できるようにブロードキャストすることを備え、
前記ブロードキャスト情報は、移動局がlimited service stateである場合に前記移動局において前記ブロードキャストメッセージを破棄すべきか否かを示す情報要素を含む、
非一時的なコンピュータ可読媒体。
【００６５】
この出願は、２０１３年４月５日に出願された日本出願特願２０１３−０７９９６４を基礎とする優先権を主張し、その開示の全てをここに取り込む。
【符号の説明】
【００６６】
１  セルラ通信システム
１０  セルラ通信ネットワーク
１００  ブロードキャストノード（CBC）
２００  制御ノード（MME又はRNC）
２０１  PWS要求部
２１１  PWS要求部
３００  基地局（eNodeB又はNodeB）
３０１  無線通信部
３０２  PWS送信部
３１０  セル
４００  移動局（UE）
４０１  無線通信部
４０２  PWS制御部
【図１】
2014162673.tif 000003
【図２】
2014162673.tif 000004
【図３】
2014162673.tif 000005
【図４】
2014162673.tif 000006
【図５】
2014162673.tif 000007
【図６】
2014162673.tif 000008
【図７】
2014162673.tif 000009
【図８】
2014162673.tif 000010
【図９】
2014162673.tif 000011
【図１０】
2014162673.tif 000012
【図１１】
2014162673.tif 000013
【図１２】
2014162673.tif 000014
【図１３】
2014162673.tif 000015
【図１４】
2014162673.tif 000016
【図１５】
2014162673.tif 000017
【図１６】
2014162673.tif 000018
【図１７】
2014162673.tif 000019
【図１８】
2014162673.tif 000020
【手続補正書】
【提出日】平成27年6月11日(2015.6.11)
【手続補正１】
【補正対象書類名】特許請求の範囲
【補正対象項目名】請求項２８
【補正方法】変更
【補正の内容】
【請求項２８】
移動局に関する制御方法をコンピュータに行わせるためのプログラムであって、
前記制御方法は、セルにおいてブロードキャストされるブロードキャスト情報に含まれるPublic Warning System（PWS）notificationに基づいて前記移動局の動作を制御することを含み、
前記ブロードキャスト情報は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含み、
前記制御することは、前記PWS notificationを破棄するか否かを前記第１又は前記第２の情報要素に従って決定することを含む、
プログラム。
【手続補正２】
【補正対象書類名】特許請求の範囲
【補正対象項目名】請求項２９
【補正方法】変更
【補正の内容】
【請求項２９】
制御ノードに関する制御方法をコンピュータに行わせるためのプログラムであって、
前記制御方法は、要求メッセージを基地局に送信するよう前記制御ノードを制御することを備え、
前記要求メッセージは、Public Warning System（PWS）notificationを含むブロードキャスト情報を移動局にブロードキャストすることを前記基地局に引き起こし、
前記要求メッセージは、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
プログラム。
【手続補正３】
【補正対象書類名】特許請求の範囲
【補正対象項目名】請求項３０
【補正方法】変更
【補正の内容】
【請求項３０】
基地局に関する制御方法をコンピュータに行わせるためのプログラムであって、
前記制御方法は、Public Warning System（PWS）notificationを含むブロードキャスト情報をセルにおいて移動局にブロードキャストするよう前記基地局を制御することを備え、
前記ブロードキャスト情報は、
（ａ）前記移動局がlimited service stateである場合に前記移動局において前記PWS notificationを破棄すべきか否かを示す第１の情報要素、及び
（ｂ）前記移動局がHome Public Land Mobile Network（HPLMN）から前記PWS notificationを受信していない場合に前記移動局において前記PWS notificationを破棄すべきか否かを示す第２の情報要素、
のうち少なくとも一方を含む、
プログラム。
【国際調査報告】
2014162673.tif 000021
2014162673.tif 000022
2014162673.tif 000023
2014162673.tif 000024